(57)【要約】      （修正有）【課題】電子機器の電源部についての起動時間の短縮を図る。【解決手段】電源部は、第１電源装置１０１と、その後段に直列接続される第２電源装置とを備える。先ず、第１電源装置１０１の起動を開始させた後、第１電源装置１０１から起動完了に応じて出力される起動検出信号を検知すると、第２電源装置１０２の起動を開始させる。これにより、第２電源装置１０２は、第１電源装置１０１の起動直後に起動させることが可能になり、例えば固定の待機時間を設定して第２電源装置１０２を起動させる場合よりも、起動時間は大幅に短縮される。【選択図】図１
2007102687.tif 000002
【特許請求の範囲】
【請求項１】
第１の電源装置の起動を開始させるための起動制御を実行する第１の起動手段と、
上記第１の電源装置側から出力される、上記第１の電源装置の起動完了を示す情報が入力される入力手段と、
上記起動完了を示す情報が上記入力手段に入力されたのに応じて、上記第１の電源装置の出力を入力して動作する第２の電源装置の起動を開始させるための起動制御を実行する第２の起動手段と、
を備えることを特徴とする電源制御装置。
【請求項２】
第１の電源装置の起動を開始させるための起動制御を実行する第１の起動手順と、
上記第１の電源装置側から出力される、上記第１の電源装置の起動完了を示す情報を取得する取得手順と、
上記起動完了を示す情報が上記取得手順により取得されたのに応じて、上記第１の電源装置の出力を入力して動作する第２の電源装置の起動を開始させるための起動制御を実行する第２の起動手順と、
を実行することを特徴とする電源制御方法。
【請求項３】
電子機器において負荷となる回路部位に対して電力を供給するために設けられるもので、少なくとも、第１の電源装置部と、この第１の電源装置部の出力を入力して動作する第２の電源装置部とを備えて構成される電源部と、
上記第１の電源装置部の起動を開始させるための起動制御を実行する第１の起動手段と、
上記第１の電源装置部側から出力される、上記第１の電源装置部の起動完了を示す情報が入力される入力手段と、
上記起動完了を示す情報が上記入力手段に入力されたのに応じて、上記第１の電源装置部の出力を入力して動作する第２の電源装置部の起動を開始させるための起動制御を実行する第２の起動手段と、
を備えることを特徴とする電子機器。
【発明の詳細な説明】
【技術分野】
【０００１】
本発明は、電源装置の起動を制御する電源制御装置とその方法に関する。また、このような電源制御装置を備える電子機器に関する。
【背景技術】
【０００２】
例えば各種電子機器などに備えられて、内部の負荷となる電気回路部に対して動作電源としての電力を供給する電源部として、2種類の電源装置を直列的に接続して構成したものが知られている。このような電源部を主体とした電子機器の構成例を、図６に示す。
【０００３】
図６においては、電源装置として、入力電力の供給を受けて動作する第１電源装置１０１と、この第1電源装置１０１の出力を入力して動作し、負荷回路１０３に電力を出力する第２電源装置１０２が示されている。
この場合におけるコントローラ１０４は、例えばマイクロコンピュータなどとして構成されて電子機器の制御を行うものであり、その制御の1つとして、電源起動として、上記第１電源装置１０１、及び第２電源装置１０２を起動させるための制御も実行するようにされている。この電源起動のためのプログラムを実行することにより、コントローラ１０４に与えられる制御機能を、この図では、電源起動制御部１０５として示している。
【０００４】
コントローラ１０４による第１電源装置１０１及び第２電源装置１０２に対する起動制御は次のようにして行われる。
この場合のようにして、第１電源装置１０１と第２電源装置１０２とが直列的に接続される構成を採る場合においては、前段の第１電源装置１０１の起動を完了させてから、後段の第２電源装置１０２の起動を開始させるようにすることが必要になる。その理由であるが、例えば仮に、上記したような起動制御のタイミングを考慮することなく、前段の第１電源装置１０１の起動が完了しないうちに第２電源装置１０２の起動を開始させたとする。この場合、第２電源装置１０２が起動を開始したときにおいては、未だ、第１電源装置１０１から出力される供給電力量が、第２電源装置１０２を正常起動させるのに十分な状態にまで至っていない場合がある。このような状況では、第２電源装置１０２が正常に起動できず、結果、電源部が正常に起動しないという誤動作を招き、電子機器の信頼性が損なわれることにつながる。
【０００５】
そこで、コントローラ１０４の電源起動制御部１０５による起動制御としては、図７に示す手順、アルゴリズムとすることによって、第１電源装置１０１及び第２電源装置１０２の起動制御を実行するようにされる。
電源起動制御部１０５は、電源を起動させるべきときには、ステップＳ２０１として示すようにして、第１起動制御信号を、第１電源装置１０１に対して出力する。この第１起動制御信号の出力に基づき、例えば第１電源装置１０１では入力電力を内部回路に供給するラインを接続するなどの動作が得られる。これに応じて入力電力の入力が開始され、これに伴って第１電源装置１０１が起動を開始することになる。
【０００６】
周知のようにして、電源回路が起動を開始してから、出力電圧が規定値にまで到達して起動が完了するまでには或る程度の時間幅を要する。ここでは、このような時間幅のことを「起動所要時間」ともいうことにする。そこで、ステップＳ２０２としては、第１電源装置の起動所要時間を考慮して、固定の待機時間を設定したうえで、上記ステップＳ２０１に応じて起動を開始したとされる時点から、上記待機時間が経過するのを待機するようにされる。そして、この待機時間分が経過したことが判別されると、ステップＳ２０３に進む。
【０００７】
ステップＳ２０２にて肯定の判別結果が得られた段階では、第１電源装置１０１は既に起動を完了して、定常動作に移行した状態にあるものとされる。ステップＳ２０３は、この状態のもとで、第２起動制御信号を第２電源装置１０２に対して出力する。この第２起動制御信号により、第２電源装置では、例えば、第１電源装置１０１の出力を内部に入力させるラインを接続するなどの動作が得られて、起動を開始する。つまり、第２電源装置１０２は、第１電源装置１０１が起動を完了している状態のもとで、その起動が開始されることとなり、電源部としての正常な起動の動作が得られることになる。
【０００８】
ここで、上記ステップＳ２０２における判定要素となる待機時間をどのようにして設定するのかについて言及しておく。
上記もしたように、上記待機時間は、第１電源装置１０１の起動時間に基づいて設定されるものであるが、一般に電源回路の起動所要時間は、例えば温度、入力段の平滑用コンデンサなどにおける残電荷量、入力電圧などの各種条件が要因となって変化することが知られている。そして、上記した待機時間は、上記条件が最悪な場合を想定し、この最悪条件に応じた最長とされる起動所要時間を考慮して設定される。実際においては、最長であるとして求められた起動所要時間に対して、マージンとなる一定の時間を付加して待機時間を設定するようにされる。
【０００９】
【特許文献１】特開２０００−１１５９９８号公報
【発明の開示】
【発明が解決しようとする課題】
【００１０】
上記のようにして待機時間を設定した上で、図７に示したアルゴリズムにより起動制御を行えば、正常な電源起動が常に行えることにはなる。
しかしながら、上記のようにして待機時間を設定する際に考慮する起動所要時間に対応する最悪条件とは、実際においても通常に使用している状況では生じ得ないような過酷な条件を想定している。従って、この待機時間は、通常の使用条件では、そのときの実際の起動所要時間に対して相当に長い時間であることになる。このことからすると、通常の使用では、第１電源装置１０１及び第２電源装置１０２から成る電源部全体が起動を開始してから起動を終了するまでの起動時間が無駄に長くなっている場合がほとんどである、ということになる。
電子機器としては、例えば電源をオンとするなどの電源起動の指示に応じた操作を行って通常の動作が可能となるまでの時間（ここでは「機器起動時間」ということにして電源の「起動時間」とは区別する）は、ユーザに与えるストレスなどを考慮すれば、できるだけ短縮されることが好ましい。この観点からすると、電子機器に搭載される電源部の起動時間の短縮は、この電子機器の機器起動時間の短縮に直接的に寄与できるものであり、その要求も無視できない重要なものであるといえる。
【課題を解決するための手段】
【００１１】
そこで本発明は上記した課題を考慮して、電源制御装置として次のように構成する。
つまり、第１の電源装置の起動を開始させるための起動制御を実行する第１の起動手段と、第１の電源装置側から出力される、第１の電源装置の起動完了を示す情報が入力される入力手段と、起動完了を示す情報が入力手段に入力されたのに応じて、第１の電源装置の出力を入力して動作する第２の電源装置の起動を開始させるための起動制御を実行する第２の起動手段とを備えて構成することとした。
【００１２】
また、電子機器において負荷となる回路部位に対して電力を供給するために設けられるもので、少なくとも、第１の電源装置部と、この第１の電源装置部の出力を入力して動作する第２の電源装置部とを備えて構成される電源部と、第１の電源装置部の起動を開始させるための起動制御を実行する第１の起動手段と、第１の電源装置部側から出力される、第１の電源装置部の起動完了を示す情報が入力される入力手段と、起動完了を示す情報が入力手段に入力されたのに応じて、第１の電源装置部の出力を入力して動作する第２の電源装置部の起動を開始させるための起動制御を実行する第２の起動手段とを備えて電子機器を構成することとした。
【００１３】
上記各構成では、第１の電源装置（部）側から出力される起動完了を示す情報を入力したのに応じて、第２の電源装置（部）を起動させるようにしている。これにより、先ず、第２の電源装置の起動タイミングは、必ず第１の電源装置の実際の起動完了よりも後になるので、第２の電源装置の正常な起動が保証される。そのうえで、第２の電源装置の起動タイミングは、第１の電源装置の実際の起動完了タイミングに応じて可変されるものとなる。このため、第１の電源装置の起動所要時間（起動開始から完了までの時間）は、そのときの周囲条件などにより変化するのにも関わらず、第２の電源装置は、常に第１の電源装置の起動完了に続けて、起動が開始されるようになる。つまり、第２の電源装置は、第１の電源装置の起動所要時間に合わせて、第１の電源回路の起動開始時点から最短としてみてよいタイミングにより起動が開始される。
【発明の効果】
【００１４】
上記のようにして本願発明は、第２の電源装置について、第１の電源装置の起動所要時間に合わせて、常に第１の電源回路の起動開始時点から最短とされるタイミングにより起動が開始される。これにより、例えば、最悪条件に対応する起動所要時間を考慮して決定した固定の待機時間分を待機して第２の電源装置を起動させる場合と比較すれば、これら第１、第２の電源装置を備える電源部位についての実際の起動時間は大幅に短縮されることになる。そして、このようにして電源部位の起動時間が短縮されることで、この電源部位を備える電子機器の機器起動時間も短縮されるものであり、例えばユーザが起動完了を待つことのストレスが軽減されることになる。
【発明を実施するための最良の形態】
【００１５】
図１は、本願発明の実施の形態としての電源起動制御のための基本構成を、起動制御対象となる電源装置とともに示している。これらの図に示される各ブロックは、実際には、或る電子機器において備えられるものとされる。
この図においては、起動制御対象の電源装置として、第１電源装置１０１と第２電源装置１０２が示されている。
第１電源装置１０１は、入力電力の供給を受けて内部回路が動作し、その出力は第２電源装置１０２に対して入力されるようになっている。第２電源装置１０２は、第１電源装置１０１の出力を入力して内部回路が動作するようにされている。そして、その出力を負荷回路１０３に対して供給する。このようにして、第１電源装置１０１と第２電源装置１０２は、第１電源装置１０１が前段で、第２電源装置１０２がその後段となるようにして直列的に接続される関係にある。
負荷回路１０３は、実際において、電子機器内において備えられ、第２電源装置１０２の出力を電源として入力して動作する回路部位を一括して示すものである。
【００１６】
コントローラ１０４は、電子機器の各種制御を実行するもので、例えばＣＰＵ(Central Processing Unit)、ＲＯＭ、ＲＡＭなどから成るマイクロコンピュータを備えて構成される。そして、コントローラ１０４は、電子機器における制御の１つとして、電源装置の起動制御（電源起動制御）を実行可能とされている。このコントローラ１０４が実行する電源起動制御は、例えば内部ＲＯＭに記憶されるプログラムを、内部ＣＰＵが実行することにより実現される。この図では、このようにしてコントローラ１０４において得られる電源起動制御機能について、電源起動制御部１０６として示している。
【００１７】
また、電源起動制御のための構成として、コントローラ１０４は、第１電源装置１０１に対して第１電源起動制御信号（Cnt1）を出力可能とされている。また、第２電源装置１０２に対して第２電源起動制御信号（Cnt2）を出力可能とされている。
また、本実施の形態の下では、第１電源装置１０１からコントローラ１０４に対して、起動検出信号を出力するようにされている。この起動検出信号は、第１電源装置１０１が自身の状態として、起動が完了したことを検出したときに出力する信号とされる。コントローラ１０４は、この起動検出信号を、例えば内部ＣＰＵが備える所定のポートなどから入力するようにされる。
【００１８】
電源回路が起動を開始すると、その出力電圧は或る時定数により規定レベルまで上昇していく。そして、規定レベルに至ったとされると起動が完了することになる。このことに基づいて、起動検出信号を出力可能とするために付加される回路構成としては、第１電源装置１０１の出力としての電圧値が、規定レベルに対応した一定レベル以上となるのに応じて、起動検出信号としての所定電圧値の信号を出力させるようにすればよい。より具体的には、例えば、第１電源回路の出力の電圧値を所定比に分圧する抵抗などによる分圧回路と、この分圧回路により分圧された第１電源回路の出力の電圧値を、規定レベルに対応して設定した所定値と比較する比較器とを備えるようにされればよい。つまり、本実施の形態の起動検出信号生成のための回路構成は、非常に簡易な部品及び回路構成により実現できる。また、この図では、起動検出信号生成回路は、第１電源装置１０１内に備えられるものとして示されているが、例えば実際においては、第１電源装置１０１を構成する集積回路部品などに対する外付けの回路として形成されるものであってもよい。
【００１９】
ここで、電源起動制御、つまり、複数の電源装置ごとの起動開始タイミング制御の必要性について述べておく。
先に説明したように、第１電源装置１０１と第２電源装置１０２は直列的に接続される関係にある。このような構成の下では、第２電源装置を常に安定して正常に起動させるためには、その入力電力である第１電源装置１０１の出力として、規定の電圧レベルが安定して得られている段階、状態にあることが必要である。逆にいえば、例えば第１電源装置１０１の出力電圧レベルが規定値よりも小さいような状態で第２電源装置１０２を起動させたとしても、入力電力が不十分となって正常な起動に失敗する場合がある。従って、電源起動時においては、第１電源装置１０１の起動が完全に完了して規定の出力電圧レベルが得られている状態を確保した上で、第２電源装置１０２の起動を開始させる必要がある。電源起動制御は、このような順序だった電源起動が適正に行われるようにして、第1電源装置１０１と第２電源装置１０２についての起動を制御するものである。
【００２０】
そこで、上記図１に示した構成の下で、コントローラ１０４の電源制御部１０６により実行される電源起動制御の手順を図２に示す。
例えば、図１に示す構成を実装する電子機器などにおいて、電源オン操作が行われたり、あるいいはタイマ設定時間に至ったりするなどして、電源を起動させるべきタイミングに至ったとされると、先ずは、ステップＳ１０１に示すようにして、コントローラ１０４は、第１電源装置１０１に対して第１起動制御信号（Cnt1）を出力する。第１電源装置は、この第１起動制御信号の入力に応じて、例えば内部回路に入力電力を供給するためのラインを、切断状態から接続状態に切り換えるなどして、内部回路に対する入力電力の供給を開始させる。これにより、第１電源装置１０１は、起動を開始することになる。
【００２１】
次のステップＳ１０２では、第１電源装置１０１から出力される起動検出信号（MON）が入力されるのを待機している。そして、上記もしたように、第１電源装置１０１が起動を完了した状態となったのに応じて、第１電源装置１０１側から起動検出信号が出力されると、ステップＳ１０２において肯定の判別結果が得られることとなって、ステップＳ１０３に進む。
そして、ステップＳ１０３により、第２電源装置１０２に対して第２起動制御信号（Cnt1）を出力するようにされる。これにより、第２電源装置１０２は起動を開始することになる。
【００２２】
図３は、第１電源装置１０１の起動を開始させてからの時間経過に応じた第１電源装置１０１の出力電圧値の変化特性を模式的に示している。この図により、本実施の形態と従来との間での電源起動制御のタイミングを比較してみると次のようになる。
先ず、第１電源装置１０１の出力電圧値の変化特性としては、図示するようにして、起動開始時点であるｔ０から時間が経過するのに応じて、第１電源装置１０１の規定出力電圧レベルであるＶoutに到達していくようにして上昇していくようにされる。起動所要時間は、この起動開始時点時点ｔ０から、規定出力電圧レベルＶoutに到達するまでの時間であるとしてみることができる。
これまでに説明したように、電源回路の起動所要時間は、温度、残電荷量、入力電圧値などの要素からなる条件（起動条件）に応じて異なってくるものであり、この点では、図１に示す第１電源装置１０１も同様である。図３には、第１電源装置１０１の出力電圧値の変化特性を、起動条件に応じて4本の曲線により示している。この図に示すようにして、第１電源装置１０１の起動所要時間は、最良の起動条件のとき（最良条件時）には期間ｔ0〜ｔ1で最短であり、最悪の起動条件（最悪条件時）のときには、期間t0〜t2で最長となる。
【００２３】
第１電源装置１０１がこのような特性を持つものとして、図１、図２により説明した本実施の形態の電源起動の構成であれば、第２電源装置１０２の起動開始タイミングは、最良条件時に対応して最も早くなり、時点ｔ１に続くタイミングとなる。また、最悪条件に対応して最も遅くなり、時点ｔ２に続くタイミングとなる。つまり、最良条件時においては、時点ｔ１に対応したタイミングで起動検出信号が得られ、これに応じて、第２起動制御信号を出力して第２電源装置１０２の起動を開始させることになる。同様にして、最悪条件時においては、時点ｔ２に対応したタイミングで起動検出信号が得られ、これに応じて、第２起動制御信号を出力して第２電源装置１０２の起動を開始させることになるものである。
このようにして、本実施の形態の場合には、起動条件に応じて第１電源装置１０１が起動を完了した直後とされるタイミングに続くようにして、第２電源装置１０２の起動が開始される。このことは、そのときの起動条件に対応した第１電源装置１０１の起動完了の時間に合わせて、最も短い時間で第２電源装置１０２を起動開始できることを意味している。
これに対して、例えば従来として図６、図７により説明した電源起動の構成を適用すれば、図７のステップＳ１０２における待機時間は、時点ｔ０から、最悪条件時において第１電源装置１０１の起動が完了する時点ｔ２から、一定のマージン期間を経過した時点ｔ３までの固定期間（ｔ０〜ｔ３）となる。従って、第２電源装置１０２を起動開始させるタイミングは、常に時点ｔ３以降で固定されたものとなる。
上記本実施の形態と従来とでの第２電源装置１０２の起動開始タイミングを比較して分かるように、先ず、本実施の形態では、第２電源装置１０２の起動開始タイミングが最も遅いときであっても、従来と同等程度、若しくはより早いタイミングとなっている。そのうえで、先に述べたように、図３において、期間ｔ０〜ｔ２として示される最長の起動所要時間は、最悪条件について通常の使用環境ではあり得ないような過酷な条件を設定し、このような最悪条件に対応して得られたものとされている。従って、通常の使用では、本実施の形態での第２電源装置１０２の起動開始タイミングは、時点ｔ２に対して相当に早いタイミングとなる。第２電源装置の起動開始タイミングが早ければ、第２電源装置１０２が起動を完了するタイミングもその分早くなる。従って、本実施の形態による電源起動は、通常条件での使用では、従来よりも相当に早く起動が完了することになる。つまり、電源起動時間の大幅な短縮効果が得られる。
【００２４】
なお、概念的には、本実施の形態における第２電源装置の起動開始タイミングは、最短で時点ｔ１となり、最長で時点ｔ２となるのであるが、前述したように、起動検出信号の出力と、これに応じた第２起動制御信号の出力があって、はじめて現実の第２電源装置は起動を開始するので、実際には、例えば時点ｔ１、時点ｔ２に対して若干の遅延は生じるというようにみることはできる。しかしながら、このような遅延要素を考慮したとしても、本実施の形態の電源起動時間は、従来と比較して大幅に短縮されるものである。
【００２５】
これまでに説明した本実施の形態としての電源起動の構成は、先に説明したように、何らかの電子機器に備えられるものとされる。そこで、本実施の形態の電源起動の構成を、実際の電子機器に適用した例として、テレビジョン受像機を挙げて説明しておくこととする。
【００２６】
図４は、本実施の形態の電源起動の構成が適用されたテレビジョン受像機１の構成例を示している。
この図に示すテレビジョン受像機１において、アンテナ１０により受信された放送波は、チューナ１１に入力される。チューナ１１は、入力された受信波についてキャリア復調などを行ったうえで、例えばシステムコントローラ２０の制御に応じて、指定のチャンネルのビデオ信号及びオーディオ信号（ビデオ／オーディオ信号）を抽出取得し、ＡＶ(Audio Video)スイッチ１３に出力する。
【００２７】
また、この場合には、ＡＶ入力端子１２を備えることで、外部映像機器などから出力されるビデオ／オーディオ信号を入力可能とされている。ＡＶ入力端子１２に入力されたビデオ／オーディオ信号は、ＡＶスイッチ１３に入力される。
【００２８】
ＡＶスイッチ１３では、上記のようにして、チューナ１１とＡＶ入力端子１２から入力されたビデオ／オーディオ信号のうちから、再生出力すべきとされるビデオ／オーディオ信号を、システムコントローラ２０の制御に応じて選択する。選択したビデオ／オーディオ信号におけるビデオ信号はビデオ信号処理部１４に出力され、オーディオ信号はオーディオプロセッサ１７に対して入力される。
【００２９】
ビデオ信号処理部１４では、入力されたビデオ信号について、所定の信号処理を実行してビデオプロセッサ１５に出力する。ビデオプロセッサ１５は、入力されたビデオ信号を利用して、表示デバイスに対応した表示用のデータ、信号を生成して表示デバイス部１６に供給する。表示デバイス部１６は、所定種類の表示デバイスと、その表示デバイス種別に対応した駆動回路系などを備えて成り、ビデオプロセッサ１５から入力された信号により画像表示のための動作を実行する。これにより、表示デバイス部１６の表示画面部において、ビデオ信号を再生した画像が表示される。
【００３０】
また、オーディオプロセッサ１７は、入力されたオーディオ信号について所定の信号処理を施してアンプ１８に出力する。アンプ１８では、入力されたオーディオ信号を増幅してスピーカ１９を駆動する。これにより、スピーカ１９からはオーディオ信号を再生した音声が出力されることになる。
【００３１】
システムコントローラ２０は、例えばＣＰＵ、ＲＯＭ、ＲＡＭなどから成るマイクロコンピュータを備えて構成され、テレビジョン受像機１についての各種制御処理を実行する。そして、その制御処理の１つとして、電源部２２の起動制御を実行するようにされている。
操作部２１は、テレビジョン受像機１の本体に備えられる各種操作子と、この操作子に対する操作に応じてコマンドを生成してシステムコントローラ２０に出力する部位を一括して示している。また、リモートコントロール装置と、このリモートコントロール装置から送信されたコマンドを受信してシステムコントローラ２０に転送する受信部などを実際に備える場合にも、これらのリモートコントロール装置、及び受信部を、この操作部２１に含めることができる。
【００３２】
電源部２２は、テレビジョン受像機１内部の各回路部に対して電源を供給するために設けられる。これまでに説明した各ブロックを成す実際の回路は、この電源部２２から供給される電源電圧の供給を受けることで動作する。
【００３３】
図５は、上記図４に示したテレビジョン受像機１の構成において、電源部２２を主体とした構成を抜き出して示している。
この場合のテレビジョン受像機１の電源部２２は、図示するようにして、力率改善コンバータ２０１及び１次−２次コンバータ２０２とから成るものとしている。力率改善コンバータ２０１は、この場合には、入力電力として商用交流電源２００を入力してスイッチング動作を行い、これにより、力率改善のために商用交流電源２００から入力される入力電流波形を正弦波に近づけるとともに、直流出力の電圧値が規定値で一定となるようにして制御する。
【００３４】
１次−２次コンバータ２０２は、力率改善コンバータ２０１から出力される直流出力についてスイッチングを行って交流に変換した上で、例えばコンバータトランスなどを介して一次側から二次側への電力伝送を行うようにされる。この段階で、テレビジョン受像機１における回路は、商用交流電源２００の一次側と二次側との間での直流絶縁が行われることになる。そして、二次側に伝送された交流を再度直流に変換して負荷回路２０３に対して出力する。
【００３５】
上記した電源部２２の構成では、前段の力率改善コンバータ２０１と後段の１次−２次コンバータ２０２が直列的な関係により接続されていることになる。つまり、図１との対応では、力率改善コンバータ２０１が第１電源装置１０１に相当し、１次−２次コンバータ２０２が第２電源装置１０２に相当する。
なお、電源部２２についての最も簡易な構成としては、例えば、図５の構成から力率改善コンバータ２０１を省略して１次−２次コンバータ２０２のみを備える構成となる。このような構成とした場合には、いわゆるコンデンサインプット方式により商用交流電源２００から生成した直流を、１次−２次コンバータ２０２に入力するようにして構成するのが一般的である。このようにしてスイッチング電源（１次−２次コンバータ２０２）に入力する直流を、交流電源を元としてコンデンサインプット方式により得るようにされた構成では、周知のようにして、交流電源から入力される交流入力電流波形はパルス状となって高調波成分が増加し、力率を低下させる。力率改善コンバータ２０１は、このようにして低下する力率を改善するために設けられる。
【００３６】
図５において示される負荷回路２０３は、図１の負荷回路１０３に相当することになる。この場合の負荷回路２０３は、例えばスイッチング電源部２０３ａと、動作回路部２０３ｂとから成るものとされている。スイッチング電源部２０３ａは、１次−２次コンバータ２０２の直流出力を入力して、複数系統の直流電源電圧を生成して、動作回路部２０３ｂを成すとされる所定回路部に供給する。
動作回路部２０３ｂは、上記スイッチング電源部２０３ａから供給される直流電源電圧を入力して動作する回路部の集合を示すものであり、ここでは、ビデオ回路系、音声回路系、表示デバイス系から成るものとしている。これらの回路系と図４との対応としては、例えばビデオ回路系は、チューナ１１，ＡＶスイッチ１３、ビデオ信号処理部１４、ビデオプロセッサ１５などとなり、音声回路系は、オーディオプロセッサ１７、アンプ１８などとなり、表示デバイス系は、表示デバイス部１６となる。なお、ここでは図示していないが、図４において示されるシステムコントローラ２０は、例えばスタンバイ電源系などから供給される電源電圧により動作する。
【００３７】
また、図５において示されるＣＰＵ２０４は、図４に示すテレビジョン受像機１との対応では、システムコントローラ２０におけるマイクロコンピュータを構成するＣＰＵとされ、図１との対応ではコントローラ１０４に対応する。従って、このＣＰＵ２０４としても、例えばシステムコントローラ２０内部のＲＯＭに格納される電源起動制御のためのプログラムを実行することで、電源起動制御部２０６としての機能を有することになる。
【００３８】
そして、この場合における、ＣＰＵ２０４の電源起動制御部２０６による電源部２２の力率改善コンバータ２０１、及び１次−２次コンバータ２０２に対する起動制御の手順、アルゴリズムとしては、図２と同様となる。つまり、電源を起動させるべきときには、ＣＰＵ２０４の電源起動制御部２０６は、先ず、力率改善コンバータ２０１に対して第１起動制御信号を出力して力率改善コンバータ２０１の起動を開始させる。そして、この後において、力率改善コンバータ２０１から起動検出信号が出力されたことを検知すると、第２起動制御信号を出力して、１次−２次コンバータ２０２の起動を開始させる。
この図５に示される力率改善コンバータ２０１も、その内部構成の実際は、例えばスイッチングコンバータを主とするもので、その起動所要時間は、温度等をはじめとする条件により変化する。このことから、この図５に示されるテレビジョン受像機１についても、図３により説明したとおりに、電源部２２の起動時間が短縮されることになる。図５に示す構成によると、テレビジョン受像機１では、電源部２２の起動が完了して１次−２次コンバータ２０２から規定の直流電圧が負荷回路２０３のスイッチング電源部２０３ａに供給されてはじめて、動作回路部２０３ｂなどが電源供給を受けて動作可能となる。このことからも、電源部２２の起動時間の短縮は、電子機器であるテレビジョン受像機１としての起動時間（機器起動時間）の短縮に大きく寄与できるものであることが理解できる。
【００３９】
なお、本発明はこれまでに説明した実施の形態としての構成に限定されるものではない。
例えば図５では、第１電源装置が力率改善コンバータで、第２電源装置が１次−２次コンバータとされる構成を示しているが、第１電源装置と第２電源装置についての実際的な機能、構成は他にも考えられるものである。
また、ここでは本実施の形態の電源起動制御を適用した電子機器の具体例としてテレビジョン受像機を挙げているが、これ以外の他の電子機器であって電源装置を備えるものであれば、全般に適用できる。
また、例えば、これまでの説明においては、第１電源装置と第２電源装置の２つの電源装置の起動を制御する構成を示しているが、直列的な関係により接続される３以上の電源装置の起動を制御する場合にも適用できる。電源装置の直列接続数にかかわらず、前段の電源装置側からの起動検出信号の出力を検知してからその後段の電源装置の起動を開始させるように構成すればよい。つまり、本願発明における第１の電源装置（部）と第２の電源装置（部）は、電源部における電源装置数を２つに限定する概念のものではなく、単に、直列的に接続される関係にある前段と後段の電源装置を指すものである。
【図面の簡単な説明】
【００４０】
【図１】本発明の実施の形態としての電源起動システムの基本構成例を示す図である。
【図２】図１のコントローラが実行するとされる電源起動制御の手順を示すフローチャートである。
【図３】第１電源装置の起動時における出力電圧値の変化特性を模式的に示す図である。
【図４】実施の形態の電源起動システムが実装される電子機器の１つであるテレビジョン受像機の構成例を示す図である。
【図５】図４に示したテレビジョン受像機における電源部を主体とする部位の構成を抜き出して示す図である。
【図６】従来の電源起動システムの基本構成例を示す図である。
【図７】図６のコントローラが実行するとされる電源起動制御の手順を示すフローチャートである。
【符号の説明】
【００４１】
１  テレビジョン受像機、１０  アンテナ、１２  ＡＶ入力端子、１３  ＡＶスイッチ、１４  ビデオ信号処理部、１５  ビデオプロセッサ、１６  表示デバイス部、１７  オーディオプロセッサ、１８  アンプ、１９  スピーカ、２０  システムコントローラ、２１  操作部、２２  電源部、  １０１  第１電源装置、１０２  第２電源装置、１０３  負荷回路、１０４  コントローラ、１０６  電源起動制御部、２００  商用交流電源、２０１  力率改善コンバータ、２０２  １次−２次コンバータ、２０３  負荷回路、２０３ａ  スイッチング電源部、２０３ｂ  動作回路部、２０４  ＣＰＵ、２０６  電源起動制御部
【図１】
2007102687.tif 000003
【図２】
2007102687.tif 000004
【図３】
2007102687.tif 000005
【図４】
2007102687.tif 000006
【図５】
2007102687.tif 000007
【図６】
2007102687.tif 000008
【図７】
2007102687.tif 000009